【手続補正書】
【提出日】令和2年2月18日(2020.2.18)
【手続補正１】
【補正対象書類名】特許請求の範囲
【補正対象項目名】全文
【補正方法】変更
【補正の内容】
【特許請求の範囲】
【請求項１】
ブローバイ・ガス、ＥＧＲガス又はブローバイ・ガス構成物質を含むモーター油と接触する加硫物の製造のための加硫可能な組成物の使用において、前記加硫可能な組成物が、
（ａ）１００重量部の少なくとも１種の水素化ニトリルゴムであって、１０％以下の残存二重結合（ＲＤＢ）の含有量を有する、水素化ニトリルゴムと、
（ｂ）４０〜２００重量部、好ましくは５０〜１５０重量部、より好ましくは７０〜１２０重量部の、少なくとも１種の非シラン化処理無機充填材と、
（ｃ）０〜２０重量部未満のカーボンブラック、好ましくは０〜１０重量部未満のカーボンブラック、より好ましくは０〜５重量部のカーボンブラックと、
（ｄ）０．５〜２０重量部の少なくとも１種の過酸化物化合物と
を含むことを特徴とする、使用。
【請求項２】
前記水素化ニトリルゴム（ａ）が、７％以下、好ましくは０．９％以下の残存二重結合（ＲＤＢ）の含有量を有することを特徴とする、請求項１に記載の使用。
【請求項３】
前記水素化ニトリルゴム（ａ）中の繰り返しアクリロニトリル単位の含有量が、水素化ニトリルゴム（ａ）の総量を基準として、１０〜５０重量％、好ましくは１７〜４３重量％、より好ましくは２０〜３６重量％であることを特徴とする、請求項１又は２に記載の使用。
【請求項４】
前記水素化ニトリルゴム（ａ）、並びに少なくとも１種の不飽和ニトリルの及び少なくとも１種の共役ジエンの繰り返し単位が、カルボン酸又はカルボン酸エステル、好ましくはアクリル酸、メタクリル酸、イタコン酸、フマル酸、マレイン酸、クロトン酸、メチルアクリレート、エチルアクリレート、ブチルアクリレート、２−エチルヘキシルアクリレート、オクチルアクリレート、１〜８個の繰り返しエチレングリコール単位を有するＣ１〜Ｃ８アルコキシ−ＰＥＧ（メタ）アクリレート、メトキシエチルアクリレート又はエトキシエチルアクリレート、及びそれらの混合物の形態での１種以上の更なる共重合性モノマーを含有することを特徴とする、請求項１〜３のいずれか一項に記載の使用。
【請求項５】
前記非シラン化処理充填材（ｂ）が、非シラン化処理無機シリカ系又は酸化物系充填材であることを特徴とする、請求項１〜４のいずれか一項に記載の使用。
【請求項６】
前記非シラン化処理充填材（ｂ）が、沈澱シリカ、ヒュームドシリカ、カオリン、か焼カオリン、珪藻土、ノイブルクケイ質土、か焼ノイブルクケイ質土、長石又はアルミナであることを特徴とする、請求項１〜５のいずれか一項に記載の使用。
【請求項７】
前記非シラン化処理充填材（ｂ）が、１０ｍ２／ｇ未満のＤＩＮ  ＩＳＯ  ９２７７に従って測定される比表面積（Ｎ２表面積）を有する、成分（ｂ）の総量を基準として、少なくとも４０重量％のシリケート（ＳｉＯ２）及び少なくとも１０重量％のアルミナ（Ａｌ２Ｏ３）を含有する非シラン化処理か焼カオリンか、又は８ｍ２／ｇのＤＩＮ  ＩＳＯ  ９２７７に従って測定されるＢＥＴ表面積、非シラン化処理充填材（ｂ）の総量を基準として、８６重量％のＳｉＯ２含有量、１３重量％のＡｌ２Ｏ３含有量、及び６．５のｐＨを有する非晶質及び隠微昌質シリカと薄板状カオリナイトとの混合物であることを特徴とする、請求項１〜６のいずれか一項に記載の使用。
【請求項８】
前記過酸化物化合物（ｄ）が、ジクミルペルオキシド、ｔｅｒｔ−ブチルクミルペルオキシド、ビス（ｔｅｒｔ−ブチルペルオキシイソプロピル）ベンゼン、ジーｔｅｒｔ−ブチルペルオキシド、２，５−ジメチルヘキサン  ２，５−ジヒドロペルオキシド、２，５−ジメチルヘキサ−３−イン  ２，５−ジヒドロペルオキシド、ジベンゾイルペルオキシド、ビス（２，４−ジクロロベンゾイル）ペルオキシド、ｔｅｒｔ−ブチルペルベンゾエート、ブチル４，４−ジ（ｔｅｒｔ−ブチルペルオキシ）バレレート又は１，１−ビス（ｔｅｒｔ−ブチルペルオキシ）−３，３，５−トリメチルシクロヘキサンであることを特徴とする、請求項１〜７のいずれか一項に記載の使用。
【請求項９】
前記加硫可能な組成物が、成分（ｅ）として、０〜１５重量部、好ましくは１〜１０重量部、より好ましくは２〜７重量部の、ＤＩＮ  ＩＳＯ  ７８７／９に従って５重量％の水溶液で測定される、７超のｐＨを有する、好ましくは８超のｐＨを有する、より好ましくは８超〜１２のｐＨを有する、最も好ましくは１０．５〜１２のｐＨを有する、塩基性ケイ酸塩を更に含むことを特徴とする、請求項１〜８のいずれか一項に記載の使用。
【請求項１０】
前記加硫可能な組成物が、成分（ｅ）として、０〜１５重量部、好ましくは１〜１０重量部、より好ましくは２〜７重量部の、ケイ酸ナトリウムアルミニウム及びオルトケイ酸ナトリウム（Ｎａ４ＳｉＯ４）、メタケイ酸ナトリウム（Ｎａ２ＳｉＯ３）、二ケイ酸二ナトリウム（Ｎａ２Ｓｉ２Ｏ５）、三ケイ酸二ナトリウム（Ｎａ２Ｓｉ３Ｏ７）、好ましくはケイ酸ナトリウムアルミニウムからなる群から選択される塩基性ケイ酸塩を更に含むことを特徴とする、請求項１〜８のいずれか一項に記載の使用。
【請求項１１】
前記加硫可能な組成物が、
（ａ）１００重量部の少なくとも１種の水素化ニトリルゴムであって、１０％以下の残存二重結合（ＲＤＢ）の含有量を有する水素化ニトリルゴムと、
（ｂ）４０〜２００重量部、好ましくは５０〜１５０重量部、より好ましくは７０〜１２０重量部の、少なくとも１種の非シラン化処理無機シリカ系又は酸化物系充填材と、
（ｃ）０〜２０重量部未満のカーボンブラック、好ましくは０〜１０重量部のカーボンブラック、より好ましくは０〜５重量部のカーボンブラックと、
（ｄ）０．５〜２０重量部、好ましくは２〜１０重量部の、少なくとも１種の過酸化物化合物と、
（ｅ）０〜１５重量部、好ましくは１〜１０重量部、より好ましくは２〜７重量部の、７超のＤＩＮ  ＩＳＯ  ７８７／９に従って測定される水中（水中５重量％）のｐＨを有する塩基性ケイ酸塩と
を含有することを特徴とする、請求項１〜１０のいずれか一項に記載の使用。
【請求項１２】
（ａ）１００重量部の少なくとも１種の水素化ニトリルゴムであって、１０％以下の残存二重結合（ＲＤＢ）の含有量を有する水素化ニトリルゴムと、
（ｂ）４０〜２００重量部の、６．５±０．５のＤＩＮ  ＩＳＯ  ７８７／９に従って測定される水中（水中５重量％）のｐＨ及び８．５ｍ２／ｇのＩＳＯ  ９２７７に従って測定される表面積（ＢＥＴ）を有する、成分（ｂ）の総量を基準として、５０〜６０重量％、好ましくは５５重量％の、ＳｉＯ２及び３５〜４５重量％、好ましくは４１重量％の、Ａｌ２Ｏ３を含有する少なくとも１種のか焼カオリン、又は８ｍ２／ｇのＢＥＴ表面積、成分（ｂ）の総量を基準として、８６重量％のＳｉＯ２含有量、１３重量％のＡｌ２Ｏ３含有量、及び６．５のｐＨを有する、非晶質及び隠微昌質シリカと薄板状カオリナイトとの混合物と、
（ｃ）０〜５重量部のカーボンブラックと、
（ｄ）１〜１０重量部の少なくとも１種の過酸化物化合物、好ましくはジクミルペルオキシド、ｔｅｒｔ−ブチルクミルペルオキシド、ビス（ｔｅｒｔ−ブチルペルオキシイソプロピル）ベンゼン、ジ−ｔｅｒｔ−ブチルペルオキシド、２，５−ジメチルヘキサン  ２，５−ジヒドロペルオキシド、２，５−ジメチルヘキサ−３−イン  ２，５−ジヒドロペルオキシド、ジベンゾイルペルオキシド、ビス（２，４−ジクロロベンゾイル）ペルオキシド、ｔｅｒｔ−ブチルペルベンゾエート、ブチル４，４−ジ（ｔｅｒｔ−ブチルペルオキシ）バレレート又は１，１−ビス（ｔｅｒｔ−ブチルペルオキシ）−３，３，５−トリメチルシクロヘキサンと、
（ｅ）１〜１０重量部の、１１．３±０．７のＤＩＮ  ＩＳＯ  ７８７／９に従って測定される水中（水中５重量％）のｐＨ、５．５±１．５のＤＩＮ  ＩＳＯ  ７８７／２に従って測定される含有量の揮発性構成物質及び６５±１５のＩＳＯ  ９２７７に従って測定される表面積（ＢＥＴ）を有する少なくとも１種のケイ酸ナトリウムアルミニウムと、
（ｆ）１〜１００重量部の少なくとも１種の通常のゴム添加剤と
を含む、請求項１〜１１のいずれか一項に記載の使用。
【請求項１３】
請求項１〜１２のいずれか一項に記載の加硫可能な組成物から製造される加硫物の、構成部品の製造のための使用において、少なくとも前記加硫物が、ブローバイ・ガス、ＥＧＲガス又はブローバイ・ガス構成物質を含むモーター油と接触することを特徴とする、使用。
【請求項１４】
ブローバイ・ガス、ＥＧＲガス又はブローバイ・ガス構成物質を含むモーター油と接触する前記構成部品が、ガスケット、ベルト、ホース又はケーブル、好ましくはガスケット、ベルト又はホースであることを特徴とする、請求項１３に記載の使用。
【請求項１５】
（ａ）１００重量部の少なくとも１種の水素化ニトリルゴムであって、１０％以下の残存二重結合（ＲＤＢ）の含有量を有する水素化ニトリルゴムと、
（ｂ）４０〜２００重量部、好ましくは５０〜１５０重量部、より好ましくは７０〜１２０重量部の、少なくとも１種の非シラン化処理無機充填材と、
（ｃ）０〜２０重量部未満のカーボンブラック、好ましくは０〜１０重量部未満のカーボンブラック、より好ましくは０〜５重量部のカーボンブラックと、
（ｄ）０．５〜２０重量部の少なくとも１種の過酸化物化合物と、
（ｅ）０〜１５重量部の少なくとも１種の塩基性ケイ酸塩、好ましくはケイ酸ナトリウムアルミニウムと
を含む加硫可能な組成物。